(57)【要約】【課題】上下方向に二分割可能で、分割後は商品陳列時に商品を大きく見せることが可能で且つカットテープを使用することなく簡単に製造できる包装箱を提供する。【解決手段】天板１、第１の側板２、底板３及び第２の側板４が折り曲げ可能に連設され、天板１、第１の側板２、底板３及び第２の側板４のそれぞれの上辺及び下辺に蓋を形成するための蓋板５ａ〜５ｄが折り曲げ可能に連設され、天板１及び底板３の蓋板５ａ，５ｃが第１の側板２及び第２の側板４の蓋板５ｂ，５ｄに重ねられて貼着されて蓋が形成され、第１の側板２及び第２の側板４及びこれら二つの側板２，４のそれぞれに連接された蓋板に破断可能な帯状のジッパー８ａ，８ｂが水平方向に且つ底板３側に凹んだ形状に形成されている。【選択図】図２
2014051313.tif 000002
【特許請求の範囲】
【請求項１】
天板、第１の側板、底板、前記第１の側板に対向する第２の側板及び両端を塞ぐ蓋板が連設された直方体の包装箱において、前記第１の側板及び前記第２の側板及びこれら二つの側板のそれぞれに連接された前記蓋板に破断可能な帯状のジッパーが水平方向に且つ前記底板側に凹んだ形状に形成されていることを特徴とする包装箱。
【請求項２】
前記天板に連設された前記蓋板は、前記側板に連接された前記蓋板に形成された前記ジッパーに重ならないように切り欠いた切欠部を有することを特徴とする請求項１に記載の包装箱。
【請求項３】
前記天板及びこの天板に連接する第１の側板の一部に、前記天板を切り起こす切り離し可能な切断線が形成されていることを特徴とする請求項１又は２に記載の包装箱。
【発明の詳細な説明】
【技術分野】
【０００１】
本発明は、ジュース類の紙パックなどの商品を複数個まとめて収納する包装箱に関し、特に上下に二分割し、分割した下部分をそのまま商品の陳列に利用することができる包装箱に関する。
【背景技術】
【０００２】
ジュース類が入った紙パックなどの商品は複数個まとめて段ボール製の包装箱に箱詰めされて搬送された後、店頭において包装箱は上下に二分割されて上部分が取り除かれ、トレー状となった下部分に収容されている商品が露出された状態で陳列されており、そのための包装箱が提案されている（特許文献１参照）。
【０００３】
例えば、図７に示すように、包装箱２１の四面の側壁２２に、その高さ方向の略中央部に全周にわたって破断可能な帯状のジッパーからなる破断部２３が形成され、破断部２３の裏面にカットテープ２４が連続して貼着されている。
【０００４】
さらに、対向する一対の側壁２２には、破断部２３の中途位置において表裏貫通して切り込まれてカットテープ２４を分断するカット部２５が形成され、分断されたカット部２５を摘んでカットテープ２４を引っ張ることにより破断できるようになっている。
【０００５】
以上の構成による包装箱２１を分割するには、カット部２５を押し込んでカットし、カットしたカットテープ２４の端を掴んで外回り方向に引っ張ることにより破断部２３に沿って破断が開始され、さらにカットテープ２４を引っ張ることによって破断が進行し、図８に示すように、上部分２６と下部分２７に分割され、下部分２７がトレー状に形成される。
【０００６】
このように包装箱２１の側壁２２の全周に破断部２を設け、カットテープ２４を引っ張ることによって包装箱２１を上下に分断することができ、下部分２７をトレーとして収容された商品の陳列に使用することができる。
【先行技術文献】
【特許文献】
【０００７】
【特許文献１】特開２００２−３２１７３２号公報
【発明の概要】
【発明が解決しようとする課題】
【０００８】
前記従来の包装箱は、破断部が側壁の高さ方向の略中央部に形成されているために二分割後に下部分に収容されている商品の下半分が隠れるために陳列の際に商品を大きく見せることができないので、商品が目に付きにくくあるいは、注意を引きつけにくいという欠点がある。
【０００９】
また、前記従来の包装箱は、カットテープを別途用意して全周に形成されたジッパーに沿って裏側に貼着して破断部を形成する必要があるため、製造・組立に手間がかかるという問題がある。
【００１０】
そこで、本発明は、商品を収納する包装箱において、上下方向に二分割可能で、分割後は商品陳列の際に商品を大きく見せることが可能で且つカットテープを使用することなく簡単に製造できる包装箱を提供するものである。
【課題を解決するための手段】
【００１１】
本願の請求項１の発明は、天板、第１の側板、底板、前記第１の側板に対向する第２の側板及び両端を塞ぐ蓋板が連設された直方体の包装箱において、前記第１の側板及び前記第２の側板及びこれら二つの側板のそれぞれに連接された前記蓋板に破断可能な帯状のジッパーが水平方向に且つ前記底板側に凹んだ形状に形成されていることを特徴とする包装箱である。
【００１２】
本願の請求項２の発明は、前記天板に連設された前記蓋板は、前記側板に連接された前記蓋板に形成された前記ジッパーに重ならないように切り欠いた切欠部を有することを特徴とする請求項１に記載の包装箱である。
【００１３】
本願の請求項３の発明は、前記天板及びこの天板に連接する第１の側板の一部に、前記天板を切り起こす切り離し可能な切断線が形成されていることを特徴とする請求項１又は２に記載の包装箱である。
【発明の効果】
【００１４】
本発明は、ジッパーの破線形状を水平方向に直線状でなく、下向きに底板側に凹んだ形状のジッパーを形成することで、ジッパーを除去後に商品を収容した下部分の開放部分が大きく形成されるので、商品陳列時に商品を大きく見せることができ、商品の注意を引くことが可能となる。
【００１５】
本発明は、ジッパーを下向きに底板側に凹んだ形状に形成したことにより、ジッパーが段ボールの段目に沿った直線状にならないので機械製函時に、折れ曲がりにくくすることができる。また、カットテープを別途用意してジッパーに沿って貼着する必要がないので、包装箱の組立が簡単で手間がかからない。
【００１６】
本発明は、現行品のカートンの紙幅を変えずに、商品陳列時に長側面部分中央部に設けたジッパーから開封し、上部を取り外して商品の陳列が可能となり、また、積み上げて陳列することもできる。
【００１７】
本発明は、天板に連設された蓋板が、側板に連接された蓋板に形成されたジッパーに重ならないように切り欠いた切欠部を形成することで、開封時に重なったフラップ部分のジッパーも容易に開封することが可能となる。
【図面の簡単な説明】
【００１８】
【図１】本発明の包装箱を展開したブランクの平面図である。
【図２】本発明の包装箱の折り曲げ途中を示す斜視図である。
【図３】本発明の包装箱を示す斜視図である。
【図４】本発明の包装箱を、ジッパーを引いて分割する状態を示す斜視図である。
【図５】本発明の包装箱を二分割した状態を示す斜視図である。
【図６】本発明の包装箱を、天板を開いた状態を示す斜視図である。
【図７】従来の包装箱の例を示す斜視図である。
【図８】従来の包装箱を二分割した例を示す斜視図である。
【発明を実施するための形態】
【００１９】
本発明の実施例について図を参照しながら説明する。
【実施例１】
【００２０】
包装箱は直方体に形成され、包装箱を展開した段ボールからなるブランクは、図１に示すように、天板１、第１の側板２、底板３、第２の側板４が、折り曲げ可能に順次一体に連設されている。
【００２１】
天板１、第１の側板２、底板３及び第２の側板４のそれぞれの上辺及び下辺には、ブランクを折り曲げて四角筒にした際、四角筒の両端を覆う蓋を形成するための蓋板５ａ〜５ｄが折曲可能に連設されている。天板１及び底板３の蓋板５ａ，５ｃが第１の側板２及び第２の側板４の蓋板５ｂ，５ｄに重ねられて貼着されて蓋が形成される。なお、天板１及び底板３の対向する蓋板５ａ，５ｃの辺、第１の側板２及び第２の側板４の対向する蓋板５ｂ，５ｄの辺は間隔をおいて蓋板を分離した状態にしておく。
【００２２】
天板１の蓋板５ａは、上辺の両側を切り欠いた切欠部１０を有する凸型に形成されている。この切欠部１０により、天板１及び底板３の蓋板５ａ，５ｃが第１の側板２及び第２の側板４の蓋板５ｂ，５ｄに重ねて貼着する際に、天板１の蓋板５ａが第１の側板２の蓋板５ｂ及び第２の側板４の蓋板５ｄに形成された後述するジッパー８ａ，８ｂに重ならないようにしている。また底板３の蓋板５ｃもジッパー８ａ，８ｂに重ならない高さとなっている。これによりジッパー８ａ，８ｂの破断が蓋板５ａ，５ｃにより妨げられることはない。
【００２３】
第２の側板４の側辺には、ブランクを四角筒に折り曲げて天板１に貼着する貼着用板６が折曲可能に連設されている。
【００２４】
天板１及びこれに連接する第１の側板２の一部には、天板１を切り起こして包装箱の上部を開放するためのスリット状の切断線７が切り離し可能に連続して形成されている。
【００２５】
第１の側板２及び第２の側板４及びこれらに連接する蓋板５ａ，５ｂには、ジッパー８ａ，８ｂが、上下方向（組み立てた包装箱の状態では水平方向）に横断し且つ上方及び下方から底板側に向けて傾斜させ、底板側に凹んだ形状に形成される。下向きに底板側に凹んだ形状のジッパー８ａ，８ｂにより、ジッパー８ａ，８ｂを除去後に商品のサイドが大きく露出するので、陳列時に商品を大きく見せることができる。凹みが深いほど商品をより大きく見せることが可能となる。
【００２６】
ジッパー８ａ，８ｂの中央（凹みの底部分）には、Ｈ字状の切断部９ａ，９ｂが形成される。切断部９ａ，９ｂを指で内側に押し込むことによりジッパー８ａ，８ｂが切断され、切断された端を掴んでジッパー８ａ，８ｂを外側へ引くことが可能となる。
【００２７】
次に本発明の包装箱の組立及び使用方法について説明する。
【００２８】
包装箱の組立は、商品（例えば、紙パック）の箱詰めラインで自動的に行われる。紙パックの搬送ラインから所定量の紙パックが図１に示すブランクの上に載せられると、図２に示すように（説明の都合上、商品は図示していない）、天板１、第１の側板２、底板３、第２の側板４、貼着用板６、蓋板５ａ〜５ｄが内側に折り曲げられ、次いで天板１及び底板３の蓋板７ａ，７ｃがそれぞれ側板２及び第２の側板４の蓋板５ｂ，５ｄに貼着されるとともに、貼着用板６に天板１が貼着されて、図３に示すように、包装箱１１が形成されて、紙パックが箱詰めされる。
【００２９】
紙パックが箱詰めされた包装箱は、納入先に搬送されて納入される。商品を陳列する場合は、包装箱１１の第１の側板２のジッパー８ａに形成されたＨ字状の切断部９ａを指で内側に押し込むことによりジッパー８ａ，８ｂが切断されてジッパー８ａ，８ｂを掴む。次いで、図４に示すように、ジッパー８ａを引っ張ってジッパー８ａを切除する。
【００３０】
天板１の蓋板５ａ及び底板３の蓋板５ｃは、切欠部１０により、第１の側板２の蓋板５ｂ及び第２の側板４の蓋板５ｄに形成されたジッパー８ａに重なっていないので、ジッパー８ａを容易に切除することができる。
【００３１】
第２の側板４についても同様にしてジッパー８ｂを切除する。ジッパー８ａ，８ｂを切除することにより、図５に示すように、包装箱は、上部分１２と下部分１３に二分割され、商品が収納された下部分１３はトレーとしてそのまま商品の陳列に使用可能となる。
【００３２】
なお、包装箱１１を二分割しないで、図６に示すように、天板１の切断線７を切断して天板１を開けることにより包装箱１１の上部から商品を取り出すことも可能となる。
【符号の説明】
【００３３】
１：天板              ２：第１の側板
３：底板              ４：第２の側板
５ａ〜ｄ：蓋板        ６：貼着用板
７：切断線            ８ａ，ｂ：ジッパー
９ａ，ｂ：切断部    １０：切欠部
１１：包装箱          １２：上部分
１３：下部分
２１：包装箱          ２２：側壁
２３：破断部          ２４：カットテープ
２５：カット部        ２６：上部分
２７：下部分        
【図１】
2014051313.tif 000003
【図２】
2014051313.tif 000004
【図３】
2014051313.tif 000005
【図４】
2014051313.tif 000006
【図５】
2014051313.tif 000007
【図６】
2014051313.tif 000008
【図７】
2014051313.tif 000009
【図８】
2014051313.tif 000010